(57)【要約】【課題】緩衝性能が良く、しかもリブの破損も生じにくく、且つ低コストを実現できる梱包材を提供する。【解決手段】箱体に収納される輸送品２０に装着され、輸送品２０への衝撃を低減するための梱包材４０において、輸送品４０に接触しないように輸送品２０の周囲を囲んで形成された囲み部４１と、囲み部４１から内方へ向けて突出し、輸送品２０の外壁面に当接する複数本の内リブ４４と、囲み部４１から外方へ向けて突出し、収納される箱体の内壁面に当接する複数本の外リブ４６とを具備する。【選択図】        図１
2004161342.tif 000002
【特許請求の範囲】
【請求項１】
箱体に収納される輸送品に装着され、輸送品への衝撃を低減するための梱包材において、
輸送品に接触しないように輸送品の周囲を囲んで形成された囲み部と、
該囲み部から内方へ向けて突出し、輸送品の外壁面に当接する複数本の内リブと、
前記囲み部から外方へ向けて突出し、収納される箱体の内壁面に当接する複数本の外リブとを具備することを特徴とする梱包材。
【請求項２】
前記内リブと前記外リブは、前記囲み部を挟んで対向する位置に設けられていることを特徴とする請求項１記載の梱包材。
【請求項３】
前記輸送品の端部の端面を覆い、前記囲み部の一端側を閉塞する側壁部が設けられ、
該側壁部から外方に向けて突出し、前記箱体の内壁面に当接する複数本の側壁リブが設けられ、
前記側壁部から内方に向けて突出し、前記輸送品の外壁面に当接する複数本の側壁内リブが設けられていることていることを特徴とする請求項１または２記載の梱包材。
【発明の詳細な説明】
【０００１】
【発明の属する技術分野】
本発明は、輸送品を輸送する際に、輸送品に装着されて用いられる梱包材に関する。
【０００２】
【従来の技術】
電子機器や家電等を輸送する（以下、単に輸送品と言う場合がある）際には、緩衝作用を有する発泡スチロール等の梱包材で輸送品を覆い、梱包材で覆った輸送品を段ボール等で構成された箱体内に収納するのが一般的である（例えば、特許文献１参照）。
【０００３】
従来から知られている梱包材の形状を図４〜図７に示す。
図４と図５には、いわゆる外リブが設けられている梱包材１０が示されている。
この梱包材１０は、発泡スチロール等で形成され、直方体状の輸送品２０の長手方向の両端部に装着され、２個を１対として用いるものである。
梱包材１０は、輸送品２０の端部の外壁面を囲む囲み部１１と、輸送品の端面に当接して囲み部１１を閉塞する側壁部１２とを有している。囲み部１１の内径は、輸送品の外周壁面に直接接触する程度の大きさに形成されている。
本例では、囲み部１１から外方に向けて箱体（図示せず）の内壁面に当接するリブ１４が複数本設けられている。このように囲み部１１から外方に向けて突出している形態のリブを外リブと呼ぶ。
また、輸送品２０の端部の端面に当接する側壁部１２にも、外方に向けて突出し、箱体の内壁面に当接する側壁リブ１６が設けられている。
【０００４】
次に、従来の梱包材の他の例として、図６、図７に示すような形態について説明する。
この梱包材３０では、輸送品２０の端部の周囲を直接接触しないように覆い、且つ箱体（図示せず）の内壁面に接触するように形成された囲み部３１と、囲み部から内方に向けて突出し、輸送品２０の端部の外壁面に当接するような複数本の内リブ３４とが設けられている。
このような囲み部３１から内方に向けて突出している形態のリブを内リブと呼ぶ。
なお、輸送品２０の端部の端面に当接する側壁部３２が、囲み部３１を閉塞するように形成されている。側壁部３２には、内方に向けて突出し、輸送品の端面に当接する側壁リブ（図示せず）が設けられている。
【０００５】
上述してきたような梱包材１０，３０の外形は、箱体の内部の大きさとほぼ同じ大きさに形成されるので、梱包材１０，３０は箱体内にほぼ隙間無く収納される。
そして、梱包材１０，３０内に収納された輸送品２０は、外リブ１４または内リブ３４が弾性変形することによって箱体の上下方向からの衝撃が低減され、側壁リブ１６によって側面方向からの衝撃が緩衝され、破損等が防止される。
【０００６】
【発明が解決しようとする課題】
図４、図５に示すように外リブが設けられている梱包材によれば、内リブが設けられている梱包材と比較して梱包材全体の材料が少なくて済み、コスト的に有利であるというメリットがある。しかし、箱体の内壁面には外リブが当接しているだけであるので、衝撃によって外リブが破損しやすいという課題があった。
また、外リブによる梱包材では主として内リブによる梱包材の場合よりも軽量物を梱包する場合が多かったが、軽量物に用いるものであるにもかかわらず破損しやすいために、リブ自体を細長く形成する必要があった。しかし、リブを細長く形成する場合には、梱包材の製造時における品質管理等に困難な点があり、品質管理取扱に多くのリスクが発生するという課題もあった。
さらに、細長い形状のリブでは、衝撃が加えられた場合でも安定して潰れないことがあり、緩衝性能を発揮しにくいという課題もあった。
なお、外リブによる梱包材では、箱体には外リブが当接しているだけであるので箱体自体はつぶれやすかった。
【０００７】
図６，図７に示すような内リブが設けられている梱包材によれば、平面状の囲み部が箱体内壁面に当接するので箱体の強度を維持することができ、重量物等を梱包する場合に有利である。しかし、内リブが設けられている梱包材によれば、外リブが設けられているものと比較して材料が多く必要となるので高コストであるといった課題があった。
なお、内リブが設けられている梱包材を使用して梱包した場合、箱体が落下したときでも箱体が潰れないため本当に落下したのか否かが外部からの観察ではわかりにくい。したがって、電子機器等の精密な輸送品には内リブが設けられている梱包材はあまり用いられてこなかった。
【０００８】
そこで、本発明者は、外リブによる梱包材と内リブによる梱包材のそれぞれのデメリットが解消されるような梱包材を提供する必要性から本発明に想到した。
【０００９】
すなわち、本発明は上記課題を解決すべくなされ、その目的とするところは、外リブと内リブを併用することにより、緩衝性能が良く、しかもリブの破損も生じにくく、且つ低コストを実現できる梱包材を提供することにある。
【００１０】
【特許文献１】
特開２０００−３１３４８３号公報（図６等）
【００１１】
【課題を解決するための手段】
すなわち、本発明にかかる梱包材によれば、箱体に収納される輸送品に装着され、輸送品への衝撃を低減するための梱包材において、輸送品に接触しないように輸送品の周囲を囲んで形成された囲み部と、該囲み部から内方へ向けて突出し、輸送品の外壁面に当接する複数本の内リブと、前記囲み部から外方へ向けて突出し、収納される箱体の内壁面に当接する複数本の外リブとを具備することを特徴としている。
【００１２】
この構成を採用することによって、囲み部が箱体の内壁面に接触せず、且つ輸送品の外壁面にも接触しない位置に形成されているので、囲み部自体が内リブ形式による梱包材と比較して小型化できる。このため、材料費を軽減できるのでコストダウンが図れる。
また、外リブ形式のものと比較して外リブの長さを短くできる。このため外リブの破損の軽減を図ることもでき、緩衝時に安定して潰れるので緩衝性能を発揮できる。
【００１３】
また、前記内リブと前記外リブは、前記囲み部を挟んで対向する位置に設けられていることを特徴としてもよい。
【００１４】
さらに、前記輸送品の端部の端面を覆い、前記囲み部の一端側を閉塞する側壁部が設けられ、該側壁部から外方に向けて突出し、前記箱体の内壁面に当接する複数本の側壁リブが設けられ、前記側壁部から内方に向けて突出し、前記輸送品の外壁面に当接する複数本の側壁内リブが設けられていることとしてもよい。
この構成を採用することによって、輸送品の端面方向からの衝撃に対しても十分に衝撃を緩衝できる。
【００１５】
【発明の実施の形態】
以下、本発明の好適な実施の形態について添付図面を参照しながら詳細に説明する。
図１は、輸送品に梱包材が装着された状態を示す説明図である。また、図２は、図１に示した梱包材の横断面を、図３は、図１に示した梱包材の縦断面を示している。
梱包材４０は、輸送品を段ボール箱等の箱体に収納する際の緩衝材として輸送品に装着される部材である。梱包材４０は、弾性変形して衝撃を低減できる材質から形成されていることが必要であり、例えば発泡スチロール、発泡ポリエチレン、または発泡ポリプロピレン等の発泡ポリオレフィンや発泡ポリウレタンを用いて成形される。
【００１６】
本実施形態では、輸送品２０として光ディスク装置等の薄型の直方体状の電子機器を輸送する場合について説明する。
また、本実施形態による梱包材４０は、輸送品２０の長手方向の両端部に装着され、２個を１組として１台の輸送品２０に使用される。
【００１７】
梱包材４０の構成について説明する。
梱包材４０は、輸送品２０の端部の周囲を直接接触しないように覆い、且つ箱体（図示せず）の内壁面にも接触しないような大きさに形成された環状の囲み部４１と、囲み部４１から内方に向けて突出して輸送品２０の端部の外壁面に当接するように設けられた複数本の内リブ４４と、囲み部４１から外方に向けて突出して箱体の内壁面に当接するように設けられた複数本の外リブ４６とを有している。
【００１８】
また、梱包材４０には、輸送品２０の端部の端面を覆い、囲み部４１の環状の一方側を閉塞する側壁部４８が形成されている。このように側壁部４８が形成されていることで、梱包材４０は、輸送品２０の端部を収納する収納凹部５４が形成された、有底の四角筒体状（カップ状）に形成されているとも言える。
側壁部４８には、外方に向けて突出して、箱体の内壁面に当接する側壁リブ５０が形成されている。
また、図３に示すように、側壁部４８の内方には、輸送品２０の端面に当接するように、内方に向けて突出している側壁内リブ５２が設けられている。
【００１９】
内リブ４４と外リブ４６は、囲み部４１を挟んで対向する位置、すなわち内リブ４４と外リブ４６とは一直線上に形成されている。
同様に、側壁リブ５０と側壁内リブ５２は、側壁部４８を挟んで対向する位置、すなわち側壁リブ５０と側壁内リブ５２とは一直線上に形成されている。
【００２０】
このような梱包材４０に、輸送品２０を装着させることにより、輸送時の衝撃はまず外リブ４６と側壁リブ５０の弾性変形により低減され、そして内リブ４４と側壁内リブ５２の弾性変形によって低減されるので、梱包材４０は極めてよい緩衝性能を有する。
また、外リブ４６と内リブ４４の間に囲み部４１が形成されているので、衝撃だけではなく箱体がねじれる方向へ力を受けた場合に変形等が生じないように囲み部４１が強度維持を図っている。
また、外リブ４６および内リブ４４は従来に比較してそれぞれ短くて済むので、強い衝撃があったとしてもリブ自体の破損が少ないという効果がある。
【００２１】
なお、輸送品としては上述したような形状でなくともよく、また電子機器等でなくとも良い。
したがって、上記実施形態で説明してきた梱包材は、側壁部４８が形成されて有底の四角筒状であったが、輸送品の形状に合わせて、側壁部４８が形成されておらず無底の四角筒状の梱包材であっても、このように外リブと内リブを併用した構造を採用することができる。
【００２２】
さらに、梱包材は、輸送品の端部に装着されるものでなくともよく、輸送品全体に装着されるようにしても良い。
なお、梱包材は、輸送品の端部に装着される場合であっても、各端部毎に１個装着されるものに限定されることはなく、各端部毎に２個を１組として装着されるように構成してもよい。かかる場合には、梱包材は筒状ではなく、筒を軸線方向で分断した形状にするのも好ましい（図示せず）。
【００２３】
以上、本発明につき好適な実施例を挙げて種々説明したが、本発明はこの実施例に限定されるものではなく、発明の精神を逸脱しない範囲内で多くの改変を施し得るのはもちろんである。
【００２４】
【発明の効果】
本発明にかかる梱包材によれば、囲み部自体が内リブ形式による梱包材と比較して小型化できる。このため、材料費を軽減できるのでコストダウンが図れる。また、外リブ形式のものと比較して外リブの長さを短くできる。このため外リブの破損の軽減を図ることもでき、且つ緩衝時には安定して潰れるので緩衝性能を発揮できる。
【図面の簡単な説明】
【図１】本発明にかかる梱包材の使用態様を示す説明図である。
【図２】図１に示した梱包材の横断面図である。
【図３】図１に示した梱包材の縦断面図である。
【図４】従来の外リブタイプの梱包材の使用態様を示す説明図である。
【図５】従来の外リブタイプの梱包材の断面図である。
【図６】従来の内リブタイプの梱包材の使用態様を示す説明図である。
【図７】従来の内リブタイプの梱包材の断面図である。
【符号の説明】
２０      輸送品
４０      梱包材
４１      囲み部
４４      内リブ
４６      外リブ
４８      側壁部
５０      側壁リブ
５２      側壁内リブ
５４      収納凹部
【図１】
2004161342.tif 000003
【図２】
2004161342.tif 000004
【図３】
2004161342.tif 000005
【図４】
2004161342.tif 000006
【図５】
2004161342.tif 000007
【図６】
2004161342.tif 000008
【図７】
2004161342.tif 000009